(57)【要約】【課題】小型でしかも簡単に物品を収納すること。【解決手段】基部１０に取付けられ複数枚の収納袋４０を装填する装填部材１３と、基部１０に鉛直面内において回動自在に支持され中央部に物品投入用開口２７が形成されている回動基部２２とを有し、装填部材１３に対向する回動基部２２の端板２２ａが複数枚の収納袋４０を押圧保持するようにしたもの。【選択図】図１
2006137497.tif 000002
【特許請求の範囲】
【請求項１】
基部に取付けられ複数枚の収納袋を装填する装填部材と、前記基部に鉛直面内において回動自在に支持され中央部に物品投入用開口が形成されている回動基部とを有し、前記装填部材に対向する前記回動基部の端板が前記複数枚の収納袋を押圧保持すると共に、前記回動基部に、鉛直面内において回動自在に支持されているレバーが設けられ、このレバーに、回動されたレバーが自重により元位置に復帰する際に前記装填部材に装填されている最前方の収納袋の開口内に挿入されてこの収納袋を拡開させる拡開アームが支持されていることを特徴とする物品収納装置。
【請求項２】
店のカウンター等の固定部材に固定され、収納袋を拡開して物品を投入して収納する物品収納装置において、前記固定部材に固定される被固定部材と、前記被固定部材に着脱可能に係合される基部と、前記基部に取付けられ複数枚の収納袋を装填する装填部材と、前記基部に鉛直面内において回動自在に支持され中央部に物品投入用開口が形成されているとともに、前記装填部材に対向する端板が前記複数枚の収納袋を押圧保持する回動基部と、前記回動基部に、鉛直面内において回動自在に支持され、回動された後自重により元位置に復帰する際に前記装填部材に装填されている最前方の収納袋の開口内に挿入されてこの収納袋を拡開させる拡開アームが配設されたレバーとを有していることを特徴とする物品収納装置。
【請求項３】
前記被固定部材に鈎部を形成し、前記基部に前記被固定部材の鈎部に係合する長手方向に延在するロックシャフトを移動自在に配設するとともに、前記ロックシャフトに前記固定部材の鈎部方向に弾性を付与するばねを配設したことを特徴とする請求項２に記載の物品収納装置。
【請求項４】
前記物品投入用開口を囲繞する少なくとも２枚の端板が、中央側へ向かって下方へ傾斜していることを特徴とする請求項１ないし請求項３のいずれか１項に記載の物品収納装置。
【請求項５】
前記基部に固定され、前記基部の鉛直方向における下方に垂設されるとともに、最下部が前記複数枚の収納袋の下方に位置するように水平方向に折曲されている折曲部が形成された保持フレームと、この保持フレームの折曲部に配設された受皿とを有することを特徴とする請求項１ないし請求項４のいずれか１項に記載の物品収納装置。
【発明の詳細な説明】
【技術分野】
【０００１】
本発明は、収納袋を拡開して各種の物品を投入して収納するための物品収納装置に係り、特に例えば使用単位にパックされた砂糖などの調味料やミルクなどを提供するために収納袋に投入して収納する場合などに用いる物品収納装置に関する。
【背景技術】
【０００２】
従来から物品収納装置の一種として傘の袋収納装置が知られている。この傘の袋収納装置は、傘を先端から装置本体内に挿入すると、傘の先端が装置本体内に臨んでいる開放操作部材をばねに抗して下方に押動し、この開放操作部材に突設されている爪部材が開放操作部材の下方への回動に伴って収納袋の開口内に挿入されて収納袋を拡開し、この開口が拡開された収納袋内に傘が先端から挿入されて収納されることになる（例えば、特許文献１参照）。
【０００３】
【特許文献１】特開平７−２０５９４４号公報
【発明の開示】
【発明が解決しようとする課題】
【０００４】
ところで、前述した特許文献１の傘の袋収納装置は、収納対象が傘という長尺のものであるため、装置全体も大型であった。したがって、この傘の袋収納装置を前述した使用単位にパックされた調味料などの収納に利用する場合、大きなスペースを必要とし、店舗のカウンターに設置することが困難であった。
そこで、本発明は、小型でしかも簡単に物品を収納することができる物品収納装置を提供することを目的とするものである。
【課題を解決するための手段】
【０００５】
前述した目的を達成するため、本発明の物品収納装置の特徴は、基部に取付けられ複数枚の収納袋を装填する装填部材と、前記基部に鉛直面内において回動自在に支持され中央部に物品投入用開口が形成されている回動基部とを有し、前記装填部材に対向する前記回動基部の端板が前記複数枚の収納袋を押圧保持するようにした点にある。そして、このような構成を採用したことにより、装填部材に対向する回動基部の端板により複数枚の収納袋を押圧保持することになる。
【０００６】
また、本発明の他の物品収納装置の特徴は、前記回動基部に、鉛直面内において回動自在に支持されているレバーが設けられ、このレバーに、回動されたレバーが自重により元位置に復帰する際に前記装填部材に装填されている最前方の収納袋の開口内に挿入されてこの収納袋を拡開させる拡開アームが支持されている点にある。そして、このような構成を採用したことにより、レバーを１方向に回動させるだけで簡単に収納袋を拡開させることができる。
【０００７】
さらに、本発明の物品収納装置の他の特徴は、店のカウンター等の固定部材に固定され、収納袋を拡開して物品を投入して収納する物品収納装置において、前記固定部材に固定される被固定部材と、前記被固定部材に着脱可能に係合される基部と、前記基部に取付けられ複数枚の収納袋を装填する装填部材と、前記基部に鉛直面内において回動自在に支持され中央部に物品投入用開口が形成されているとともに、前記装填部材に対向する端板が前記複数枚の収納袋を押圧保持する回動基部と、前記回動基部に鉛直面内において回動自在に支持され、回動された後自重により元位置に復帰する際に前記装填部材に装填されている最前方の収納袋の開口内に挿入されてこの収納袋を拡開させる拡開アームが配設されたレバーとを有している点にある。そして、このような構成を採用したことにより、固定部材に固定された被固定部材に基部を係合させることにより物品収納装置の取り付けおよび取外しが容易となる。また、レバーを回動させることによりこのレバーに配設された拡開アームが装填部材に装填されている最前方の収納袋の開口内に挿入されレバーが自重により元位置に復帰することにより収納袋の開口を拡開するため、物品投入用開口から物品を投入することにより物品を容易に収納袋に収納することができる。
さらにまた、本発明の他の物品収納装置の特徴は、前記固定部材に鈎部を形成し、前記基部に前記固定部材の鈎部に係合する長手方向に延在するロックシャフトを移動自在に配設するとともに、前記ロックシャフトに前記固定部材の鈎部方向に弾性を付与するばねを配設した点にある。そして、このような構成を採用したことにより、基部を固定部材に係合した際にロックシャフトが固定部材の鈎部に係合し、基部を確実に固定することができる。そして、基部を固定部材から取り外す際には、ロックシャフトを移動させることにより固定部材の鈎部からはずすことができ、基部を容易に取り外すことができる。
【０００８】
また、本発明の他の物品収納装置の特徴は、前記物品投入用開口を囲繞する少なくとも２枚の端板が、中央側へ向かって下方へ傾斜している点にある。そして、このような構成を採用したことにより、物品投入用開口から物品を投入する際に、物品投入用開口を囲繞する端板上に物品が載置してしまうことを防止することができ、物品を円滑に収納袋内に収納させることができる。
【０００９】
さらに、本発明の他の物品収納装置の特徴は、前記基部に固定され、前記基部の鉛直方向における下方に垂設されるとともに、最下部が前記複数枚の収納袋の下方に位置するように水平方向に折曲された折曲部が形成された保持フレームと、この保持フレームの折曲部に配設された受皿と有する点にある。そして、このような構成を採用したことにより、収納袋内に物品を投入した際にその収納袋が落下した場合に受皿により受け止めて保持することができる。
【発明の効果】
【００１０】
本発明の物品収納装置は、装填部材に対向する回動基部の端板が複数枚の収納袋を押圧保持するので、収納袋を保持するための独立した部材を必要とせず、小型化が可能となる。また、レバーに拡開アームを配設することにより、レバーを一方向に回動させるだけで収納袋の開口に拡開アームが挿入され、レバーの自重により収納袋の開口が拡開されるため、簡単に物品の収納を行うことができる。
【発明を実施するための最良の形態】
【００１１】
以下、図面を用いて本発明の物品収納装置の実施形態について説明する。図１は本発明に係る物品収納装置の第１実施形態を示す平面図、図２は図１の正面図、図３は図１の右側面図、図４は図１の支持ピン近傍の構成を示す斜視図、図５は図１の回動基部を示す斜視図、図６は図１の回動規制部材を示す斜視図、図７ａは図１の収納袋の正面図、図７ｂは図１の収納袋の右側面図、図８は図１の実施形態において収納袋を装着する状態を示す右側面図である。
【００１２】
本第１実施形態の発明の物品収納装置９は、図１ないし図３に示すように、店のカウンターのような固定部材１に固定される金属製の基部１０を有している。この基部１０は、前記固定部材１の上面２上に位置し、この上面２に複数本のねじ３，３…により固定される基板１１を備えており、この基板１１の端縁には、前記固定部材１の端面４に沿って垂下される支持板１２が前記基板１１と一体に連設されている。
【００１３】
前記支持板１２には、図４に示すように、後述する収納袋４０を装填する装填部材としての１対の円柱状の支持ピン１３，１３が左右に間隔を隔てて突設されている。前記各支持ピン１３の先端部には、装填された収納袋４０の脱落を防止するために前記支持ピン１３より大径に形成された頭部１３ａが形成されている。また、前記両支持ピン１３，１３間であって両支持ピン１３，１３より下方の前記支持板１２には、ほぼ長方形状をなす金属製の板ばね１４の下端部１４ａが１対のピン１５，１５（一方のみ図示）により支持されている。この板ばね１４の上下方向の中央部１４ｂは前記下端部１４ａから折曲されて斜め上方に延在しており、この板ばね１４の上端部１４ｃは、前記中央部１４ｂから前記下端部１４ａと平行となるように折曲されている。
【００１４】
前記板ばね１４の上端部１４ｃには、最後位の前記収納袋４０に当接するほぼ長方形状の当接板１６の上端部が１対のピン１５，１５により固定されている。また、この当接板１６の上下方向の中央部には、前記板ばね１４とほぼ同形の金属製の板ばね１７の上端部１７ｃが１対のピン１５，１５により固定されており、この板ばね１７の上端部１７ｃから折曲している中央部１７ｂは前記板ばね１４の中央部１４ｂと平行をなすように当接板１６から斜め下方に延在している。さらに、前記板ばね１７の中央部１７ｂから折曲している下端部１７ａは前記支持板１２の近傍に支持板１２と平行となるように臨んでいる。
図１ないし図３に戻って、前記支持板１２の両側には、前方に突出する左右同形のブラケット１８，１８が相互に面対称をなすように一体に突設されている。各ブラケット１８の基端側の上端部には、それぞれ支軸１９が両ブラケット１８，１８において同軸状に固定されており、両支軸１９に後述する金属製の回動基部２２が鉛直面内において回動自在に支持されている。さらに、前記各ブラケット１８の先端側には、ほぼ長方形状をなすゴム板２０が他の保持板２１との間に１対のピン１５，１５を介して挟持されるようにして保持されている。このゴム板２０は、この物品収納装置９を扱う人が操作に必要な部位以外に触れるのを防止するためのものであるが、設けなくともよい。なお、前記各支軸１９は前記両ブラケット１８間に延在する長尺な１本の支軸により代替が可能である。
【００１５】
前記回動基部２２は、図５に示すように、前記当接板１６に対向するほぼ長方形状の端板２２ａを有している。そして、この端板２２ａの上端から前記基部１１方向に延在するように扁平な頂板２２ｂが突設されており、この頂板２２ｂの先端からは下方に延在する同じく扁平な遮蔽板２２ｃが垂設されている。また、前記頂板２２ｂの各側縁からは、下端縁が前記遮蔽板２２ｃの下端縁と等しい高さに位置する被支持板２２ｄがそれぞれ垂設されており、各被支持板２２ｄには、前記支軸１９が挿着される軸受孔２２ｅが両被支持板２２ｄ，２２ｄにおいて同軸的に穿設されている。したがって、前記両支軸１９，１９を回動中心として前記回動基部２２は鉛直面内において回動されることになる。
【００１６】
前記端板２２ａの前記各支持ピン１３に対向する部位には、前記各支持ピン１３の頭部１３ａが遊挿される円形孔２２ｆが穿設されている。また、前記各ブラケット１８の基端側の下端部には、前記回動基部２２の端板２２ａに当接し、前記回動基部２２の端板２２ａをほぼ鉛直状態において停止させるピン状のストッパ２３が支持されている。
【００１７】
前記回動基部２２の端板２２ａの上端部から下端までの両側には、前方に突出する左右同形の側板２２ｇ，２２ｇが相互に面対称をなすように一体に突設されている。前記各側板２２ｇの上端部の内側には、物品を後述する収納袋４０内に投入する際に物品をガイドするために斜め下方に延在し下端部を鉛直方向下方に向くように折曲されている金属製のガイド板２４が１対のピン１５，１５により固定されている。
【００１８】
前記両側板２２ｇ，２２ｇの先端部間には、金属製の回動規制部材２５が固定されている。この回動規制部材２５は、図６に示すように、端板２５ａを有しており、この端板２５ａの両側縁には、前記各側板２２ｇに対向する被支持板２５ｂがそれぞれ突設されており、各被支持板２５ｂには、上下に間隔を隔てて１対の円形孔２５ｃ，２５ｃ穿設されている。そして、これらの円形孔２５ｃ，２５ｃに挿着された１対のピン１５，１５により被支持板２５ｂが固着されており、これにより前記両側板２２，２２間に前記回動規制部材２５が橋架されることになる。
【００１９】
また、前記回動規制部材２５の端板２５ａの上端から前記回動基部２２方向に延在するように頂板２５ｄが突設されており、この頂板２５ｄの先端からは下方に延在する扁平な遮蔽板２５ｅが垂設されている。さらに、前記回動規制部材２５には、左右に間隔を隔てて２本の同形のスリット２６が形成されている。各スリット２６は、前記端板２５ａの上下方向における中央位置から上方に延在し、頂板２５ｄおよび遮蔽板２５ｅをそれぞれ縦断して遮蔽板２５ｅの下端縁において外部と連通されている。さらにまた、前記端板２５ａの下端縁には、前記両被支持板２５ｂ，２５ｂ間に位置する扁平な底板２５ｆが連設されている。
【００２０】
前記回動基部２２の端板２２ａ、前記各側板２２ｇに固定されているガイド板２４，前記回動規制部材２５の遮蔽板２５ｅの内側には、物品が落下する開口２７（図１）が形成されている。
【００２１】
前記回動規制部材２５の内側となる部位の回動基部２２の両側板２２ｇ，２２ｇ間には長尺の支軸２８が回転自在に支持されており、この支軸２８には、レバー２９が回転自在に支持されている。このレバー２９は、図２に示すように、ほぼ長方形状をなすレバー本体２９ａを有している。このレバー本体２９ａの両側には、それぞれこのレバー本体２９ａから直角に折曲されるようにして扁平な被支持板２９ｂ，２９ｂが連設されており、両被支持板２９ｂ，２９ｂには同軸状の円形孔（図示せず）が穿設されている。そして、これらの両円形孔に前記支軸２８が挿通されることにより前記レバー２９は回動自在に支持されることになる。
【００２２】
前記レバー２９のレバー本体２９ａの上端縁には、前記各被支持板２９ｂ，２９ｂの延長をなし上方に延在する１対のアーム２９ｃ，２９ｃが連設されており、両アーム２９ｃ，２９ｃ間には、上端部を彎曲形成してなる把手２９ｄが一体に橋架されている。そして、前記レバー２９が回動すると前記両アーム２９ｃ，２９ｃが前記両スリット２６内をスリット２６の内側縁に接触することなく移動することになる。
前記支軸２８には、前記レバー２９を、図３において時計方向に付勢するコイルばね３０が巻回されている。一方、前記回動規制部材２５の前記底板２５ｆには、前記一方のスリット２６の延長上となる部位にストッパ３１が突設されており、前記コイルばね３０により前記レバー２９がほぼ起立状態となっているときに一方の前記被支持板２９ｂに当接してそれ以上のレバー２９の回動を拘束するようになっている。
【００２３】
前記レバー２９が前述した図３の起立状態にあるとき、前記レバー本体２９ａの上端は、前記回動規制部材２５の頂板２５ｄに近接した位置をとることになる。また、前記把手２９ｄにより前記レバー２９を前記コイルばね３０に抗して反時計方向に回動させて、前記各アーム２９ｃが前記各スリット２６の端板２５ａにおける端縁２６ａに当接したとき、前記レバー本体２９ａの下端部は、前記支持ピン１３の頭部１３ａに近傍に臨むことになる。
【００２４】
前記両被支持板２９ｂ，２９ｂの下端部には同軸状の円形孔（図示せず）が穿設されている。そして、これらの両円形孔には支軸３２が挿通され支持されている。この支軸３２は、ほぼ逆三角形の平板状に形成され、前記レバー本体２９ａから下方に延在する拡開アーム３３の両上隅部にそれぞれ形成されたブラケット３３ａ，３３ａに挿通されており、前記拡開アーム３３は前記支軸３２に図３に示す位置から時計方向に回動しうるように回動自在に支持されることになる。前記支軸３２には、前記拡開アーム３３を図３において反時計方向に付勢するコイルばね３４が巻回されている。
【００２５】
前記収納袋４０は、本第１実施形態においては、合成樹脂フィルムなどにより図７に示すように、上部に挿入口４０ａを有するように封筒状に形成したもので、この挿入口４０ａにおける前片４１上端部４１ａはＵ字状に折り返されている。図７においては、前記上端部４１ａを後側、すなわち後片４２側に折り返したものであるが、前側すなわち後片４２と反対側に折り返してもよい。また、前記後片４２の上端部４２ａは、前片４１の上端部４１ａよりも上方に突出し、この突出した上端部４２ａには、前記両支持ピン１３，１３が挿通される１対の掛止孔４０ｂ，４０ｂが左右に間隔を隔てて形成されている。さらに、各掛止孔４０ｂの直上の前記後片４２の上端部には、収納袋４０を下方に引くことにより前記掛止孔４０ｂの上方が容易に切断されるようにするための切断線４０ｃが各掛止孔４０ｂにまで到達しないように形成されている。
【００２６】
つぎに、前述した構成からなる本実施形態の作用について説明する。まず、図８に示すように、回動基部２２を回動規制部材２５、レバー２９、拡開アーム３３などとともに、正規の状態から時計方向に回動し、両支持ピン１３，１３に多数の収納袋４０，４０を各収納袋４０の掛止孔４０ｂ，４０ｂを係止することにより装着する。このとき、収納袋４０の背部には、板ばね１４，１７により前方に付勢される当接板１６が位置している。その後、回動基部２２を回動規制部材２５、レバー２９、拡開アーム３３などとともに反時計方向に回動する。すると、回動基部２２の端板２２ａが前記両支持ピン１３，１３の間において板ばね１４，１７により前方に付勢される当接板１６との間に多数の収納袋４０を挟持することになる。
【００２７】
このような状態において、図３に示す位置にあるレバー２９を反時計方向に回動すると、レバー２９はその各アーム２９ｄが各スリット２６の端縁２６ａに当接し、レバー２９がほぼ水平方向になって停止する。このとき、拡開アーム３３は、回動基部２２の端板２２ａに当接することによりコイルばね３４に抗して時計方向に回動し、その先端３３ｂが最前端に位置する収納袋４０の挿入口４０ａの上方に位置するようにして前記端板２２ａに沿うように鉛直方向に向いている。
【００２８】
そこで、前記レバー２９の把手２９ｄから手を離すと、レバー２９はその自重により時計方向に回動し、図３に示す位置に復する。このとき、拡開アーム３３はコイルばね３４の作用により、レバー２９のレバー本体２９ａが傾斜状態を取っているにもかかわらず常に鉛直状態を維持してその先端３３ｂが下向きとなって下降することになるので、拡開アーム３３の先端３３ｂが位置する収納袋４０の挿入口４０ａ内に次第に挿入されることになる。したがって、図３の状態に復すると、拡開アーム３３は、収納袋４０の前片４１と後片４２とを分離するようにして挿入口４０ａを拡開させることができる。
そこで、前記開口から物品を投入すれば、物品は収納袋４０内に確実に投入されることになる。その後、この物品が収納されている収納袋４０を下方に引くと収納袋４０の各切断線４０ｃが各掛止孔４０ｂまで到達し、この収納袋４０を取り出すことができる。つぎの収納袋４０を拡開させるには、レバー２９を再度反時計方向に回動させたうえで手を離せばよい。
【００２９】
以上説明したように本実施形態によれば、回動基部２２を上方に回動させておき収納袋４０を装着し、回動基部２２を元に戻せば、回動基部２２の端板２２ａにより収納袋４０を安定的に保持することができる。また、レバーを反時計方向に回動させるだけで、簡単に収納袋４０の挿入口４０ａを拡開することができる。したがって、小型で簡単な構成により収納袋４０の保持や拡開を行うことができる。
【００３０】
つぎに、本発明に係る物品収納装置の第２実施形態について説明する。図９は本発明に係る物品収納装置の第２実施形態を示す平面図、図１０は図９の正面図、図１１は図９の右側面図、図１２は図９の固定部材を示す斜視図、図１３は図９の基部を示す斜視図、図１４１４は図９の回動基部を示す斜視図、図１５は図９の回動規制部材を示す斜視図、図１６はａは図９の収納袋の正面図、ｂは図９の収納袋の右側面図、図１７は 図９の実施形態において収納袋を装着する状態を示す右側面図である。なお、本第２実施形態において、本第１実施形態と同一ないしは相当する構成については同一の符号を付して示す。
本第２実施形態の物品収納装置５１は、図９ないし図１１に示すように、店のカウンター等の固定部材１の上面２に固定される金属製の被固定部材５２と、この被固定部材５２に係合され固定される金属製の基部５３とを有している。
【００３１】
前記被固定部材５２は、図１２に示すように、前記固定部材１に固定されるほぼ長方形状の被固定面５２ａと、この被固定面５２ａの一方の長辺から上方へ折曲され、本実施形態においては２つの開口５２ｃが穿設された折曲面５２ｂと、前記被固定面５２ａの各短辺から上方へ折曲され後述するロックシャフト５９と係合する鈎部５２ｄ，５２ｄとから構成されている。そして、この被固定部材５２は、前記被固定部材１の上面に配置され、この上面に両面テープあるいは複数のねじ（ともに図示せず）等により固定されている。
前記基部５３は、図１３に示すように、前記被固定部材５２に係合する係合部５４を備えており、この係合部５４の端縁には、前記被固定部材１の端面４に沿って垂下される支持板５５が前記係合部５４と一体に連設されている。
【００３２】
前記係合部５４は、ほぼ長方形状に形成された頂板５４ａと、この頂板５４ａの各短辺から下方に折曲されロックシャフト５９を挿通する開口５４ｃがそれぞれ穿設された側板５４ｂ，５４ｂと、これらの側板５４ｂ，５４ｂと隣接し前記支持板５５と対向して下方に折曲され、内面側に前記被固定部材５２の各開口５２ｃに係合される突起５４ｅ，５４ｅが形成された端板５４ｄとから構成されている。なお、前記ロックシャフト５９は前記各側板５４ｂ，５４ｂの開口５４ｃ，５４ｃからそれぞれ突出するように延在して挿通され、さらに、ばね（図示せず）により前記端板５４ｄ側へ弾性的に付勢されている。
前記支持板５５には、図１１および図１３に示すように、収納袋６５を装填する装填部材としての１対の円柱形状の支持ピン１３，１３が左右に間隔を隔てて突設されている。前記両支持ピン１３，１３には、最後位の前記収納袋６５に当接するほぼ長方形状の当接板５６の上下方向の上部が挿通されており、前記角支持ピン１３の先端部には、収納袋６５および前記当接板５６の脱落を防止するために前記支持ピン１３より大径に形成された頭部１３ａが形成されている。また、前記当接板５６のほぼ中央部には、ほぼ長方形状をなす金属製の板ばね５７の下端部５７ａが一対のピン１５，１５により固定されており、この板ばね５７の上下方向の中央部５７ｂは前記下端部５７ａから折曲されて斜め上方に延在しており、この板ばね５７の上端部５７ｃは、前記中央部５７ｂから前記下端部５７ａと平行になるように折曲されている。
【００３３】
さらに、前記支持板５５の両側には、前方に突出する左右同形のブラケット５８，５８が相互に面対称をなすように一体に突設されている。各ブラケット５８の基端側の上端部に同軸的に形成された軸受５８ｃには支軸６０が固定されており、この支軸６０に後述する金属製の回動基部２２が鉛直面内において回動自在に支持されている。また、前記各ブラケット５８，５８の基端側のほぼ中央部には、後述する受皿６４を保持する保持フレーム６３の端部６３ａ，６３ａが係合される開口５８ａ，５８ａがそれぞれ形成されている。さらに、前記各ブラケット５８の基端側の下端部には、後述する回動基部２２の各側板２２ｇの突起部２２ｈにそれぞれ当接して回動基部２２の下方への回動を規制するための、内側に突設された規制板５８ｂが一体に形成されている。
【００３４】
前記保持フレーム６３は金属材料からほぼＵ字形状に形成されており、各端部６３ａ，６３ａが前記各ブラケット５８，５８の開口５８ａ，５８ａに係合されるようにそれぞれ外側に折曲されており、前記保持フレーム６３の下方には、受皿６４が載置可能となるように前方に折曲された載置部６３ｂが形成されている。そして、本実施形態において前記受皿６４は樹脂材料から形成されており、この受皿６４の周縁部には前記保持フレーム６３の載置部６３ｂ上に載置されるフランジ６４ａが形成されている。この受皿６４は、後述する開口２７から収納袋６５に物品を投入し、物品の重量により収納袋６５が切り離され落下した際に、収納袋６５を受け止めこの収納袋６５の落下を防止するようになっている。
【００３５】
前記回動基部２２は、図１４に示すように、前記当接板５６に対向するほぼ長方形状の端板２２ａを有している。そして、この端板２２ａの上端から前記基部５３方向に延在するように扁平な頂板２２ｂが突設されており、この頂板２２ｂの先端からは下方に延在する同じく扁平な遮蔽板２２ｃが垂設されている。また、前記頂板２２ｂの各側縁からは、下端縁が前記遮蔽板２２ｃの下端縁と等しい高さに位置する被支持板２２ｄがそれぞれ垂設されており、各被支持板２２ｄには、前記支軸６０の各端部が挿着される軸受孔２２ｅが両被支持板２２ｄ，２２ｄにおいて同軸的に穿設されている。したがって、前記支軸６０を回動中心として前記回動基部２２は鉛直面内において回動されることになる。
【００３６】
前記端板２２ａの前記各支持ピン１３に対向する部位には、前記各支持ピン１３の頭部１３ａが遊挿される円形孔２２ｆが穿設されている。また、前記回動基部２２の端板２２ａの上端部から下端までの両側には、前方に突出する左右同形の側板２２ｇ，２２ｇが相互に面対称をなすように一体に突設されており、各側板２２ｇ，２２ｇの基端側の下端部には、前記支持板５５の各ブラケット５８，５８に形成された規制板５８ｂに当接する下方に突設された突起部２２ｈがそれぞれ一体に形成されている。さらに、前記各側板２２ｇの上端部の内側には、図９に示すように、物品を後述する収納袋６５内に投入する際に物品をガイドするために斜め下方に延在し下端部を鉛直方向下方に向くように折曲されている金属製のガイド板２４が１対のピン１５，１５により固定されている。
【００３７】
前記両側板２２ｇ，２２ｇの先端部間には、金属製の回動規制部材６１が固定されている。この回動規制部材６１は、図１５に示すように、端板６１ａを有しており、この端板６１ａの両側縁には、前記各側板２２ｇに対向する被支持板６１ｂがそれぞれ突設されており、各被支持板６１ｂには、上下に間隔を隔てて１対の円形孔６１ｃ，６１ｃが穿設されている。そして、これらの円形孔６１ｃ，６１ｃに挿着された１対のピン１５，１５により被支持板６１ｂが固着されており、これにより前記両側板２２，２２間に前記回動規制部材６１が橋架されることになる。
【００３８】
また、前記回動規制部材６１の端板６１ａの上端から前記回動基部２２方向に延在するように頂板６１ｄが突設されており、この頂板６１ｄの先端からは下方に延在する扁平な遮蔽板６１ｅが垂設されている。さらに、前記回動規制部材６１には、左右に間隔を隔てて２本の同形のスリット６２が形成されている。各スリット６２は、前記端板６１ａの上下方向における中央位置から上方に延在し、頂板６１ｄおよび遮蔽板６１ｅをそれぞれ縦断して遮蔽板６１ｅの下端縁において外部と連通されている。さらにまた、前記端板６１ａの下端縁には、前記回動基部２２の端板２２ａ方向に傾斜して下方に延在して形成された延在板６１ｆが連接されており、この延在板６１ｆの内側面には、図１１に示すように、後述する拡開アーム３３と当接する板ばね６６が１対のピン１５により固定されている。
【００３９】
前記回動基部２２の端板２２ａ、前記各側板２２ｇに固定されているガイド板２４，前記回動規制部材６１の遮蔽板６１ｅの内側には、物品が落下する開口２７（図９）が形成されている。
【００４０】
前記回動規制部材６１の内側となる部位の回動基部２２の両側板２２ｇ，２２ｇ間には長尺の支軸２８が回転自在に支持されており、この支軸２８には、レバー２９が回転自在に支持されている。このレバー２９は、図１０に示すように、ほぼ長方形状をなすレバー本体２９ａを有している。このレバー本体２９ａの両側には、図１１に示すように、それぞれこのレバー本体２９ａから直角に折曲されるようにして扁平な支持板２９ｂ，２９ｂが連設されており、両支持板２９ｂ，２９ｂには同軸状の円形孔（図示せず）が穿設されている。そして、これらの両円形孔に前記支軸２８が挿通されることにより前記レバー２９は回動自在に支持されることになる。
【００４１】
前記レバー２９のレバー本体２９ａの上端縁には、前記各支持板２９ｂ，２９ｂの延長をなし上方に延在する１対のアーム２９ｃ，２９ｃが連設されており、両アーム２９ｃ，２９ｃ間には、上端部を彎曲形成してなる把手２９ｄが一体に橋架されている。そして、前記レバー２９が回動すると前記両アーム２９ｃ，２９ｃが前記両スリット６２内をスリット６２の内側縁に接触することなく移動することになる。
前記支軸２８には、前記レバー２９を、図１１において時計方向に付勢するコイルばね３０が巻回されており、前記コイルばね３０により前記レバー２９がほぼ起立状態となっているときに、拡開アーム３３が前記回動規制部材６１の延在板６１ｆに固定された板ばね６６に当接してそれ以上のレバー２９の回動を拘束するようになっている。
【００４２】
前記レバー２９が前述した図１１の起立状態にあるとき、前記レバー本体２９ａの上端は、前記回動規制部材６１の頂板６１ｄに近接した位置をとることになる。また、前記把手２９ｄにより前記レバー２９を前記コイルばね３０に抗して反時計方向に回動させて、前記各アーム２９ｃが前記各スリット６２の端板６１ａにおける端縁２６ａに当接したとき、前記レバー本体２９ａの下端部は、前記支持ピン１３の頭部１３ａの近傍に臨むことになる。
【００４３】
前記両支持板２９ｂ，２９ｂの下端部には同軸状の円形孔（図示せず）が穿設されている。そして、これらの両円形孔には支軸３２が挿通され支持されている。この支軸３２は、ほぼ逆三角形の平板状に形成され、前記レバー本体２９ａから下方に延在する拡開アーム３３の両上隅部にそれぞれ形成されたブラケット３３ａ，３３ａに挿通されており、前記拡開アーム３３は前記支軸３２に図１７に示す位置から時計方向に回動しうるように回動自在に支持されることになる。前記支軸３２には、前記拡開アーム３３を図１１において反時計方向に付勢するコイルばね３４が巻回されている。
【００４４】
前記収納袋６５は、本第２実施形態においては、合成樹脂フィルムなどにより図１６に示すように、上部に挿入口６５ａを有するように封筒状に形成したもので、この挿入口６５ａにおける前片６６の上端部６６ａはＵ字状に折り返されている。図１６においては、前記上端部６６ａを後側、すなわち後片６７側に折り返したものであるが、前側すなわち後片６７と反対側に折り返してもよい。また、前記後片６７の上端部６７ａは、前片６６の上端部６６ａよりも上方に突出し、この突出した上端部６７ａには、前記両支持ピン１３，１３が挿通される１対の掛止孔６５ｂ，６５ｂが左右に間隔を隔てて形成されている。さらに、各掛止孔６５ｂの下方には、収納袋６５を下方に引くことにより前記収納袋６５を容易に切断されるようにするための切断線６５ｃが図示水平方向に形成されている。
【００４５】
つぎに、前述した構成からなる本第２実施形態の作用について説明する。まず、図３に示すように、固定部材１の上面２にねじあるいは両面テープ（共に図示せず）等により被固定部材５２を固定する。そして、この被固定部材５２の各開口５２ａに基部５３の係合部５４に形成された各突起５４ｅ，５４ｅを係合して、基部５３を被固定部材５２に固定する。このとき、係合部５４に配設されたロックシャフト５９がばね（図示せず）の弾性により被固定部材５２の各鈎部５２ｄ，５２ｄに係合され、基部５３が図３における上方に回動して被固定部材５２から外れてしまうことを防止するようにロックされる。
【００４６】
つぎに、図１７に示すように、回動基部２２を回動規制部材６１、レバー２９、拡開アーム３３などとともに、正規の状態から時計方向に回動し、両支持ピン１３，１３に多数の収納袋６５，６５を各収納袋６５の掛止孔６５ｂ，６５ｂを係止することにより装着する。このとき、収納袋６５の背部には、板ばね５７により前方に付勢される当接板５６が位置している。その後、回動基部２２を回動規制部材６１、レバー２９、拡開アーム３３などとともに反時計方向に回動する。すると、回動基部２２の端板２２ａが前記両支持ピン１３，１３の間において板ばね５７により前方に付勢される当接板５６との間に多数の収納袋６５を挟持することになる。
【００４７】
このような状態において、図１１に示す位置にあるレバー２９を反時計方向に回動すると、レバー２９はその各アーム２９ｄが各スリット６２の端縁２６ａに当接し、レバー２９がほぼ水平方向に位置して停止する。このとき、拡開アーム３３は、回動基部２２の端板２２ａに当接することによりコイルばね３４に抗して時計方向に回動し、その先端３３ｂが最前端に位置する収納袋６５の挿入口６５ａの上方に位置するようにして前記端板２２ａに沿うように鉛直方向に位置している。
【００４８】
そこで、前記レバー２９の把手２９ｄから手を離すと、レバー２９はその自重により時計方向に回動し、図１１に示す位置に復する。このとき、拡開アーム３３はコイルばね３４の作用により、レバー２９のレバー本体２９ａが傾斜状態を取っているにもかかわらず常に鉛直状態を維持してその先端３３ｂが下向きとなって下降することになるので、拡開アーム３３の先端３３ｂが位置する収納袋６５の挿入口６５ａ内に次第に挿入されることになる。したがって、図１１の状態に復すると、拡開アーム３３は、収納袋６５の前片６６と後片６７とを分離するようにして挿入口６５ａを拡開させることができる。
【００４９】
そこで、前記開口２７から物品を投入すれば、物品は収納袋６５内に確実に投入されることになる。その後、この物品が収納されている収納袋６５を下方に引くと収納袋６５の切断線６５ｃから収納袋６５が切断されて、この収納袋６５を取り出すことができる。なお、収納袋６５に物品を投入した際に、物品の重量により切断線６５ｃから収納袋６５が切り離された場合、各収納袋６５の下方に配置された受皿６５により受け止められて収納袋６５が落下してしまうことを防止することができる。つぎの収納袋６５を拡開させるには、レバー２９を再度反時計方向に回動させたうえで手を離せばよい。
【００５０】
以上説明したように本実施形態によれば、回動基部２２を上方に回動させておき収納袋６５を装着し、回動基部２２を元に戻せば、回動基部２２の端板２２ａにより収納袋６５を安定的に保持することができる。また、レバーを反時計方向に回動させるだけで、簡単に収納袋６５の挿入口６５ａを拡開することができる。したがって、小型で簡単な構成により収納袋６５の保持や拡開を行うことができる。
【００５１】
なお、本発明は、前述した実施の形態に限定されるものではなく、必要に応じて種々の変更が可能である。
【産業上の利用可能性】
【００５２】
本発明の物品収納装置は、例えば使用単位にパックされた砂糖などの調味料やミルクなどを提供するために収納袋に投入して収納する場合に利用することができる。
【図面の簡単な説明】
【００５３】
【図１】本発明に係る物品収納装置の第１実施形態を示す平面図
【図２】図１の正面図
【図３】図１の右側面図
【図４】図１の支持ピン近傍の構成を示す斜視図
【図５】図１の回動基部を示す斜視図
【図６】図１の回動規制部材を示す斜視図
【図７】ａは図１の収納袋の正面図、ｂは図１の収納袋の右側面図
【図８】図１の実施形態において収納袋を装着する状態を示す右側面図
【図９】本発明に係る物品収納装置の第２実施形態を示す平面図
【図１０】図９の正面図
【図１１】図９の右側面図
【図１２】図９の固定部材を示す斜視図
【図１３】図９の基部を示す斜視図
【図１４】図９の回動基部を示す斜視図
【図１５】図９の回動規制部材を示す斜視図
【図１６】ａは図９の収納袋の正面図、ｂは図９の収納袋の右側面図
【図１７】図９の実施形態において収納袋を装着する状態を示す右側面図
【符号の説明】
【００５４】
１ 固定部材
９ 物品収納装置
１０ 基部
１１ 基板
１２ 支持板
１３ 支持ピン
１４ 板ばね
１６ 当接板
１７ 板ばね
１８ ブラケット
１９ 支軸
２２ 回動基部
２４ ガイド板
２５ 回動規制部材
２６ スリット
２７ 開口
２９ レバー
３３ 拡開アーム
４０ 収納袋
５１ 物品収納装置
５２ 被固定部材
５３ 基部
５４ 係合部
５５ 支持板
５６ 当接板
５７ 板ばね
５８ ブラケット
５９ ロックシャフト
６０ 支軸
６１ 回動記載部材
６２ スリット
６３ 保持フレーム
６４ 受皿
６５ 収納袋
【図１】
2006137497.tif 000003
【図２】
2006137497.tif 000004
【図３】
2006137497.tif 000005
【図４】
2006137497.tif 000006
【図５】
2006137497.tif 000007
【図６】
2006137497.tif 000008
【図７】
2006137497.tif 000009
【図８】
2006137497.tif 000010
【図９】
2006137497.tif 000011
【図１０】
2006137497.tif 000012
【図１１】
2006137497.tif 000013
【図１２】
2006137497.tif 000014
【図１３】
2006137497.tif 000015
【図１４】
2006137497.tif 000016
【図１５】
2006137497.tif 000017
【図１６】
2006137497.tif 000018
【図１７】
2006137497.tif 000019